【事件の表示】
　特願２０００−３４３０６３「電子写真感光体」拒絶査定不服審判事件〔平成１３年　８月１０日出願公開、特開２００１−２１５７４１〕について、次のとおり審決する。
【結　論】
　本件審判の請求は、成り立たない。
【理　由】
１　本願発明 
　本願は、平成１２年１１月１０日（優先権主張、平成１１年１１月２５日）の出願であって、その請求項１ないし５に係る発明は、平成１８年４月１０日付け手続補正書によって補正された明細書、及び図面の記載からみて、その特許請求の範囲の請求項１ないし５に記載されたとおりのものと認められるところ、その請求項１に記載された発明（以下、「本願発明」という。）は次のとおりである。
「導電性支持体上に少なくとも感光層を有する電子写真感光体において、該感光層に下記一般式（１）で表される電荷輸送剤及び下記一般式（３）で表される構造単位を有するポリエステル樹脂を含有することを特徴とする電子写真感光体。
　　【化１】                                            
（一般式（１）中、Ａｒ１、Ａｒ２、Ａｒ３、Ａｒ４、Ａｒ５及びＡｒ６ は、置換基を有しても良いアリーレン基、置換基を有しても良い縮合多環基、もしくは置換基を有しても良い複素環基を表し、（Ａｒ１ ないしＡｒ３ 、又は、Ａｒ４ ないしＡｒ６は、お互いに、結合して炭素環，複素環基を形成してもよい）Ｘ１ないしＸ４は水素原子又は下記一般式（２）を表し、Ｘ１ 〜Ｘ４ の少なくとも一つは、（２）式で表される構造である。
　　【化２】                                            
（一般式（２）中、ｓは０ないし４の整数を表し、Ｒ１ないしＲ５は、それぞれ、水素原子、置換基を有していてもよいアルキル基、置換基を有していてもよいアリール基、または、置換基を有していてもよい複素環基を表し、これらは互いに同一でも異なっていてもよい。）
　Ｙは、直接結合、又は、２価の有機残基を表す。）
　　【化３】                                            
（一般式（３）中、環Ａ、環Ｂ及び環Ｃは置換基を有しても良いベンゼン環を表し、Ｒ６及びＲ７は、それぞれ水素原子、置換基を有していても良いアルキル基、置換基を有していても良いアリール基、またはＲ６とＲ７が連結した環状アルキリデン基もしくは環状エステル基を表す。）」
　
２　引用された刊行物に記載された事項
（刊行物１について）
　これに対して、原査定の拒絶の理由に引用され、本願出願前に頒布された特開平９−２４４２７８号公報（以下「刊行物１」という。）には、下記の事項が記載されている。
（１ａ）「導電性支持体上に、下記一般式〔１〕
　　【化１】
（一般式〔１〕中、Ｒ１ 、Ｒ２ 、Ｒ３ 、Ｒ４ 、Ｒ５ 、および、Ｒ６は、それぞれ、ハロゲン原子、置換基を有してもよいアルキル基、置換基を有してもよいアルコキシ基、置換基を有してもよいアリール基、又は、置換アミノ基を表わし、これらは互いに同一でも異なっていてもよく；ｋ、ｌ、ｍ、ｎ、ｏ、および、ｐは、それぞれ、０ないし４の整数を表わし、２以上の整数の場合に、複数存在するＲ１ 〜Ｒ６ のそれぞれは、同一でも異なっていてもよく；一般式〔１〕中、Ｘ１は、下記一般式〔２〕を表わし；
　　【化２】
−（−ＣＲ７＝ＣＲ８）ｉ−ＣＲ９＝ＣＲ１０ＣＲ１１　　　　　　　［２］
　Ｘ２ は、下記一般式〔２′〕を表わし；
　　【化３】
−（−ＣＲ１２＝ＣＲ１３）ｈ−ＣＲ１４＝ＣＲ１５ＣＲ１６  　　　  ［２’］
（一般式〔２〕、〔２′〕中、ｉは１または２の整数を表わし；ｈは０ないし２の整数を表わし：Ｒ７ 、Ｒ８ 、Ｒ９ 、Ｒ１０、Ｒ１１、Ｒ１２、Ｒ１３、Ｒ１４、Ｒ１５、及びＲ１６は、それぞれ、水素原子、置換基を有してもよいアルキル基、置換基を有してもよいアルコキシ基、置換基を有してもよいアリール基、又は、置換基を有してもよい複素環基を表わし、これらは互いに同一でも異なっていてもよく；もしくはＲ１０とＲ１１からなる対、又はＲ１５とＲ１６からなる対は縮合して、炭素環基または、複素環基を形成していてもよく、ただしＲ１０とＲ１１からなる対、又はＲ１５とＲ１６からなる対は、どちらか一方が水素原子またはアルキル基のときは、もう一方はアリール基、又は、複素環基であり；ｉ＝２の場合、それぞれのＲ７とＲ８は同一でも異なっていてもよく；ｈ＝２の場合、それぞれのＲ１５とＲ１６は同一でも異なっていてもよい。）で示される基を表わし、これらはそれぞれ同一でも異なっていてもよい。）で表わされるアリールアミン系化合物を含有する感光層を有することを特徴とする電子写真感光体。」（特許請求の範囲、請求項１）、
（１ｂ）「感光層が、電荷輸送材料と電荷発生材料を含み、電荷輸送材料として前記一般式〔Ｉ〕のアリールアミン系化合物を含むことを特徴とする請求項１記載の電子写真感光体。」（同請求項２）、
（１ｃ）「感光層が、電荷発生材料を含む電荷発生層と、電荷輸送材料を含む電荷輸送層を有し、該電荷輸送層が前記一般式〔Ｉ〕のアリールアミン系化合物を含有することを特徴とする請求項１〜３のいずれか１項に記載の電子写真感光体。」（同請求項４）、
（１ｄ）「電荷輸送層が前記一般式〔Ｉ〕のアリールアミン系化合物とバインダー樹脂を含み、電荷発生層が電荷発生材料とバインダー樹脂を含むことを特徴とする請求項２〜４のいずれか１項に記載の電子写真感光体。」（同請求項５）、
（１ｅ）「・・・以下に、一般式〔１〕で表わされる、アリールアミン系化合物についてその代表例を挙げるが、これら代表例は例示の為にしめされるのであって本発明に用いるアリールアミン系化合物はこれら代表例に限定されるものではない。
【化１０】
・・・ （以下式省略）・・・　」（段落【００１７】〜【００３３】）、
（１ｆ）「・・・一般式〔１〕で表わされるアリールアミン系化合物有機光伝導体として極めて優れた性能を示す。特に、電荷輸送材料として用いた場合には高感度で耐久性に優れた感光体を与える。電子写真感光体の感光層の形態としては、種々のものが知られているが、本発明の電子写真感光体の感光層としてはそのいずれであっても良い。・・・」（段落【００４１】）、
（１ｇ）「本発明においては、上記一般式〔１〕で表わされる、アリールアミン系化合物を電荷発生層と電荷輸送層（電荷移動層）の２層からなる感光層の電荷輸送層中に用いる場合に、特に感度が高く、残留電位が小さく、かつ、繰り返し使用した場合に、表面電位の変動や感度の低下、残留電位の蓄積等が少なく、耐久性に優れた感光体を得ることができる。・・・」（段落【００４３】）、
（１ｈ）「積層型感光層の場合の電荷輸送層に使用されるバインダー樹脂、あるいは分散型感光層の場合のマトリックスとして使用されるバインダー樹脂としては、電荷輸送材料との相溶性が良く、塗膜形成後に電荷輸送材料が結晶化したり、相分離することのないポリマーが好ましく、例えば、スチレン、酢酸ビニル、塩化ビニル、アクリル酸エステル、メタクリル酸エステル、ブタジエン等のビニル化合物の重合体及び共重合体、ポリビニルアセタール、ポリカーボネート、ポリエステル、ポリエステルカーボネート、ポリスルホン、ポリイミド、ポリフェニレンオキサイド、ポリウレタン、セルロースエステル、セルロースエーテル、フェノキシ樹脂、けい素樹脂、エポキシ樹脂等の各種ポリマーが挙げられ、・・・」（段落【００５９】）、
　
　上記（１ａ）〜（１ｈ）の記載によれば、刊行物１には、以下の発明が記載されていると認められる。（以下、「刊行物１発明」という。）
「導電性支持体上に感光層を有する電子写真感光体において、感光層に下記一般式〔１〕で表わされるアリールアミン系化合物及びバインダー樹脂を含有する電子写真感光体。
【化１】
（一般式〔１〕中、Ｒ１ 、Ｒ２ 、Ｒ３ 、Ｒ４ 、Ｒ５ 、および、Ｒ６は、それぞれ、ハロゲン原子、置換基を有してもよいアルキル基、置換基を有してもよいアルコキシ基、置換基を有してもよいアリール基、又は、置換アミノ基を表わし、これらは互いに同一でも異なっていてもよく；ｋ、ｌ、ｍ、ｎ、ｏ、および、ｐは、それぞれ、０ないし４の整数を表わし、２以上の整数の場合に、複数存在するＲ１ 〜Ｒ６ のそれぞれは、同一でも異なっていてもよく；一般式〔１〕中、Ｘ１は、下記一般式〔２〕を表わし；
　　【化２】
−（−ＣＲ７＝ＣＲ８）ｉ−ＣＲ９＝ＣＲ１０ＣＲ１１                  ［２］
　Ｘ２ は、下記一般式〔２′〕を表わし；
　　【化３】
−（−ＣＲ１２＝ＣＲ１３）ｈ−ＣＲ１４＝ＣＲ１５ＣＲ１６               ［２′］
（一般式〔２〕、〔２′〕中、ｉは１または２の整数を表わし；ｈは０ないし２の整数を表わし：Ｒ７ 、Ｒ８ 、Ｒ９ 、Ｒ１０、Ｒ１１、Ｒ１２、Ｒ１３、Ｒ１４、Ｒ１５、及びＲ１６は、それぞれ、水素原子、置換基を有してもよいアルキル基、置換基を有してもよいアルコキシ基、置換基を有してもよいアリール基、又は、置換基を有してもよい複素環基を表わし、これらは互いに同一でも異なっていてもよく；もしくはＲ１０とＲ１１からなる対、又はＲ１５とＲ１６からなる対は縮合して、炭素環基または、複素環基を形成していてもよく、ただしＲ１０とＲ１１からなる対、又はＲ１５とＲ１６からなる対は、どちらか一方が水素原子またはアルキル基のときは、もう一方はアリール基、又は、複素環基であり；ｉ＝２の場合、それぞれのＲ７とＲ８は同一でも異なっていてもよく；ｈ＝２の場合、それぞれのＲ１５とＲ１６は同一でも異なっていてもよい。）で示される基を表わし、これらはそれぞれ同一でも異なっていてもよい。）」
　
（刊行物２について）
　同じく原査定の拒絶の理由に引用され、本願出願前に頒布された特開平７−１２８８８４号公報（以下「刊行物２」という。）には、下記の事項が記載されている。
（２ａ）「導電性基体上に、電荷発生材料として一般式(１) ：
　　【化１】  
               ・・・（式省略）・・・
・・・（省略）・・・で表されるビスアゾ顔料を、電荷輸送材料として一般式(２) ：
　　【化２】
（式中、Ｒ２、Ｒ３、Ｒ４、Ｒ５、Ｒ６およびＲ７ は同一または異なってアルキル基、アルコキシル基、ハロゲン原子、アリール基、ニトロ基、シアノ基またはアルキルアミノ基を示す。ｐ、ｑは０〜３の整数を示す。ｋ、ｌ、ｍおよびｏは０〜２の整数を示す。）で表されるジアミン系化合物を、結着樹脂としてポリカーボネートおよびポリアリレートをそれぞれ含有する感光層を設けたことを特徴とする電子写真感光体。」（特許請求の範囲、請求項１）、
（２ｂ）「上記ポリアリレートが下記一般式（３）：
　　【化３】
（式中、Ｒ８、Ｒ９、Ｒ１０およびＲ１１は同一または異なって水素原子、アルキル基、アリール基を示し、アルキル基、アリール基は置換基を有していてもよい。）で表される繰り返し単位を有する請求項１記載の電子写真感光体。」（同請求項２）、
（２ｃ）「・・・前記一般式(２) で表されるジアミン系化合物の具体的化合物としては、例えば下記式(Ａ１)〜(Ａ１３) に示す化合物があげられる。
【化１６】
　」（段落【００４４】〜【００４９】）
（２ｄ）「【化２３】
　」（段落【００５７】）
　
３　対比、判断
　「本願発明」（前者）と「刊行物１発明」（後者）とを対比する。
（ア）後者の「アリールアミン系化合物」が電荷輸送剤であること、また前者の「ポリエステル樹脂」が感光層においてバインダー樹脂であることは自明の事項である。
（イ）後者の「一般式［１］」において、６つのベンゼン環のそれぞれの基「Ｒ１ 、Ｒ２ 、Ｒ３ 、Ｒ４ 、Ｒ５ 、および、Ｒ６」が「置換基を有してもよいアルキル基、置換基を有してもよいアルコキシ基、置換基を有してもよいアリール基、又は、置換アミノ基」であるとする６つのベンゼン環の構造は、それぞれ前者の「 Ａｒ１、Ａｒ２、Ａｒ３、Ａｒ４、Ａｒ５及びＡｒ６ は、置換基を有しても良いアリーレン基」に相当する。
（ウ）後者において、（Ｘ１）が「一般式［２］」、即ち「−（−ＣＲ７＝ＣＲ８−）ｉ−ＣＲ９＝ＣＲ１０ＣＲ１１」で表される構造と、（Ｘ２）が「一般式［２’］」、即ち「−（−ＣＲ１２＝ＣＲ１３−）ｈ−ＣＲ１４＝ＣＲ１５ＣＲ１６」で表される構造は、それぞれ前者における「Ｘ１が（２）式で表される構造 」、「Ｘ３ が（２）式で表される構造」に相当する。
（エ）後者における「一般式〔１〕で表わされるアリールアミン系化合物」は、前者において、Ｘ２、Ｘ４は「水素原子」で、Ｘ１、Ｘ３ は「一般式（２）」で表され、Ｙは「直接結合」である、「一般式（１）で表される電荷輸送剤」に相当するから、後者における「一般式〔１〕で表わされるアリールアミン系化合物」は、前者の「一般式（１）で表される電荷輸送剤」と一致する。
　
　したがって、両者の一致点及び相違点は以下のとおりである。
　
［一致点］
　導電性支持体上に少なくとも感光層を有する電子写真感光体において、該感光層に下記一般式（１）で表される電荷輸送剤及びバインダー樹脂を含有する電子写真感光体。
　　【化１】
（一般式（１）中、Ａｒ１、Ａｒ２、Ａｒ３、Ａｒ４、Ａｒ５及びＡｒ６ は、置換基を有しても良いアリーレン基を表し、Ｘ２とＸ４は水素原子、Ｘ１ は、（２）式（但しｓ＝０を除く）で表される構造であり、Ｘ３ は、（２）式で表される構造である。
　　【化２】
（一般式（２）中、ｓは０ないし２の整数を表し、Ｒ１ ないしＲ５ は、それぞれ、水素原子、置換基を有していてもよいアルキル基、置換基を有していてもよいアリール基、または、置換基を有していてもよい複素環基を表し、これらは互いに同一でも異なっていてもよい。）
Ｙは、直接結合を表す。）」である点。　
　
［相違点１］
　「バインダー樹脂」に関して、前者は、電子写真感光体が、「下記一般式（３）で表される構造単位を有するポリエステル樹脂」を含有するのに対して、後者には、そのような特定がない点。
（一般式（３）中、環Ａ、環Ｂ及び環Ｃは置換基を有しても良いベンゼン環を表し、Ｒ６及びＲ７は、それぞれ水素原子、置換基を有していても良いアルキル基、置換基を有していても良いアリール基、またはＲ６とＲ７が連結した環状アルキリデン基もしくは環状エステル基を表す。）
　
（相違点１について）
　上記相違点１について検討する。
　まず、電荷輸送剤を含有する電子写真感光体の感光層をバインダー樹脂を用いて形成する際、種々の代替樹脂があることは周知であり、電荷輸送剤とバインダー樹脂の組合せによって感光体の性能に優劣が生じることも技術常識である。
　したがって、公知材料の中から最適なバインダー樹脂を選択するべく、電荷輸送剤とバインダー樹脂の組合せを変更することは、当業者の通常の創作能力の発揮であって、この点には進歩性はないというべきである。
　そして、刊行物２には、刊行物１記載の電荷輸送材料としての「アリールアミン系化合物」と骨格が類似する「一般式（２）」で表されるジアミン系化合物（電荷輸送材料）を含有する感光層の形成において結着樹脂として「ポリアリレート」を用いることが記載されている（２ａ〜２ｄ）。
　さらに、感光層の形成において、本願発明の一般式（３）で表される、下記のポリアリレート樹脂（ポリエステル樹脂）を用いることは本願優先日前に周知の技術である。（必要ならば、刊行物２に加えて、特開平９−５９３６４号公報の段落【００１１】【００１５】等、特開平２−１３２４５３号公報の１、４〜６頁等、特開平２−３０１７６８号公報の特許請求の範囲、特開平１０−２８８８４５号公報の請求項１及び段落【００１６】等、特開平１０−１８６７０６号公報の４〜７頁等参照。）
〈周知のポリアリレート樹脂〉
（一般式中、環Ａ、環Ｂ及び環Ｃは置換基を有しても良いベンゼン環を表し、Ｒ６ 及びＲ７ は、それぞれ水素原子、置換基を有していても良いアルキル基、置換基を有していても良いアリール基、またはＲ6 とＲ７ が連結した環状アルキリデン基もしくは環状エステル基を表す。）（以下、「ポリアリレート樹脂Ａ」という。）
　してみると、刊行物１には使用できる樹脂として種々のものが挙げられ（１ｈ）、「ポリエステル」もその内の１つであること、また、本願発明の電荷輸送剤の化学式と骨格が類似のものをポリアリレート樹脂と組合せて用いることも刊行物２に記載されているのであるから（２ａ〜２ｄ）、刊行物１発明においてバインダー樹脂として「ポリエステル」の１種である周知の「ポリアリレート樹脂Ａ」を採用することは当業者が容易に想到し得ることである。
（本願発明が奏する効果について）
　そして、電子写真感光体には、一般的に常温から高温にわたる、優れた電気特性及び高耐久性が求められるのであるから、本願発明が有している「低温でも（電子写真感光体の）電気特性がおおきく悪化しない」という効果は、低温環境下での起動時といった、極めて限定的な条件での効果に過ぎず、感光体の性能として格別のものであるとはいえない。
　なお、本願発明の電子写真感光体が常に低温で稼働するものに限られているとは本願の前記請求項１の記載からは認めることができない。
　また、ポリアリレートが耐摩耗性に優れていることは周知の事項であるから（必要ならば、前記特開平２−１３２４５３号公報、第３頁右上欄参照）、本願発明が奏する、耐摩耗性の向上という効果も、ポリアリレート樹脂を採用することによってもたらされる当然の効果であって、格別のものではない。
　したがつて、本願発明は、刊行物１、２に記載の発明及び周知技術から当業者が容易になし得たものである。
　
４　むすび
　以上のとおり、本願の請求項１に係る発明は、刊行物１、２に記載の発明及び周知技術に基づいて当業者が容易に発明をすることができたものと認められるから、特許法第２９条第２項の規定により特許を受けることができない。
　したがって、本願の他の請求項に係る発明について検討するまでもなく、本願は拒絶されるべきものである。
　よって、結論のとおり、審決する。